(57)【要約】【課題】より少ない量で溶液に対する結晶の溶解度を短時間に計測することを可能とする溶解度測定システムを提供する。【解決手段】マイクロ流体チップ計測制御装置１６によって、マイクロ流体チップ１４から観測用セル１２に対する溶液２６の供給及び排出制御を自動的に行い、温度制御装置１８によって、観測用セル１２内の温度制御を自動的に行い、濃度計測装置２０によって、溶質濃度及び溶解度の計測を自動的に行う。すなわち、溶解度測定システム１０では、人手を介することなく観測用セル１２に対する溶液２６の駆動制御と、観測用セル１２の温度制御と、前記溶質濃度及び前記溶解度の計測を自動的に行うので、前記溶解度の計測時間を短縮することが可能となる。【選択図】図１
2006275975.tif 000002
【特許請求の範囲】
【請求項１】
溶解度を測定する試料用の結晶及び溶液を収容する観測用セルと、
前記観測用セルに対する前記溶液の供給及び排出を行うマイクロ流体チップと、
前記マイクロ流体チップから前記観測用セルに対する前記溶液の供給及び排出を制御するマイクロ流体チップ制御装置と、
前記観測用セル内を前記所定温度に制御する温度制御装置と、
前記結晶近傍の溶質濃度変化から該結晶の溶解、平衡及び成長を判別するために前記溶液の前記結晶近傍における溶質濃度を計測する濃度計測装置と、
を有し、
前記温度制御装置は、前記観測用セル内の温度を前記結晶と前記溶液との平衡温度にまで変化させ、
前記平衡温度における溶質濃度を前記溶液に対する前記結晶の溶解度として計測する
ことを特徴とする溶解度測定システム。
【請求項２】
請求項１記載の溶解度測定システムにおいて、
前記観測用セルにおける前記結晶及び前記溶液の容量は、１０［μｌ］以下である
ことを特徴とする溶解度測定システム。
【請求項３】
請求項１又は２記載の溶解度測定システムにおいて、
前記マイクロ流体チップは、前記観測用セルに接続され且つ前記観測用セルに前記溶液を供給する供給用流路と、前記観測用セルに接続され且つ前記観測用セルより前記溶液を排出する排出用流路とを有する
ことを特徴とする溶解度測定システム。
【請求項４】
請求項３記載の溶解度測定システムにおいて、
前記マイクロ流体チップは、複数の溶液が導入される複数の溶液導入部と、前記各溶液導入部に接続される定量流路と、前記定量流路及び前記観測用セルに各々接続される溶液混合部とをさらに有し、
前記定量流路は、前記溶液導入部に導入された前記各溶液を所定量だけ各々計量し、
前記溶液混合部は、前記定量流路で計量された前記各溶液を混合して、混合された前記各溶液を前記観測用セルに供給する
ことを特徴とする溶解度測定システム。
【請求項５】
請求項４記載の溶解度測定システムにおいて、
前記マイクロ流体チップは、前記溶液混合部と前記定量流路とに各々接続され且つ計量された前記各溶液を収容する複数の前置セルをさらに有し、
前記溶液混合部は、前記各前置セルに収容された前記各溶液を混合して、混合された前記各溶液を前記観測用セルに供給する
ことを特徴とする溶解度測定システム。
【請求項６】
請求項４又は５記載の溶解度測定システムにおいて、
前記マイクロ流体チップは、前記定量流路及び前記溶液混合部を介して前記観測用セルに接続されると共に、前記溶液導入部に接続されたスプリット用流路をさらに有し、
外部より前記スプリット用流路を介して前記定量流路に空気を送り込むことにより、前記定量流路内に導入された前記各溶液を所定量に分割する
ことを特徴とする溶解度測定システム。
【請求項７】
請求項４〜６のいずれか１項に記載の溶解度測定システムにおいて、
前記排出用流路は、前記定量流路及び前記溶液混合部を介して前記観測用セルと接続されている
ことを特徴とする溶解度測定システム。
【請求項８】
請求項４〜７のいずれか１項に記載の溶解度測定システムにおいて、
前記溶液導入部に導入される前記各溶液は、前記供給用流路より前記観測用セルに供給される溶液を希釈するための希釈溶液であり、
前記溶解度測定システムは、前記供給用流路より前記観測用セルに供給された溶液による前記結晶の溶解度を計測した後に、前記各希釈溶液によって希釈された溶液を用いて前記結晶の溶解度を順次計測する
ことを特徴とする溶解度測定システム。
【請求項９】
請求項１〜８のいずれか１項に記載の溶解度測定システムにおいて、
前記マイクロ流体チップは、前記観測用セルを内蔵する
ことを特徴とする溶解度測定システム。
【請求項１０】
請求項１〜９のいずれか１項に記載の溶解度測定システムにおいて、
前記マイクロ流体チップ制御装置は、前記マイクロ流体チップ近傍に配置されたカメラと、前記カメラに電気的に接続される溶液位置監視部と、前記溶液位置監視部に電気的に接続される溶液制御用電源部と、前記溶液制御用電源部に電気的に接続され且つ前記マイクロ流体チップ内における前記溶液の移動を制御するマイクロポンプとを有し、
前記カメラは、前記マイクロ流体チップにおける前記溶液の前記観測用セル側の液面位置を撮影して、撮影した画像を前記溶液位置監視部に出力し、
前記溶液位置監視部は、入力された前記画像に基づいて前記液面位置を所定位置にまで変位させるための液面位置制御信号を生成して前記溶液制御用電源部に出力し、
前記溶液制御用電源部は、入力された前記液面位置制御信号に基づいて前記マイクロポンプを駆動し、前記液面位置を前記所定位置にまで変位させる
ことを特徴とする溶解度測定システム。
【請求項１１】
請求項１〜１０のいずれか１項に記載の溶解度測定システムにおいて、
前記濃度計測装置と電気的に接続される濃度分布変化算出装置をさらに有し、
前記温度制御装置は、前記濃度分布変化算出装置に電気的に接続される温度制御用電源部と、前記温度制御用電源部に電気的に接続され且つ前記観測用セル内の温度を調整する温度調整部とを有し、
前記濃度分布変化算出装置は、前記濃度計測装置より入力された前記溶質濃度に基づいて前記結晶近傍における前記溶質濃度の濃度分布変化を算出し、算出した前記濃度分布変化に基づいて前記観測用セル内の現在の温度を前記平衡温度にまで変化させる温度制御信号を生成して前記温度制御用電源部に出力し、
前記温度制御用電源部は、入力された前記温度制御信号に基づいて前記温度調整部を駆動し、前記観測用セル内の温度を前記平衡温度にまで変化させる
ことを特徴とする溶解度測定システム。
【請求項１２】
請求項１〜１１のいずれか１項に記載の溶解度測定システムにおいて、
前記濃度計測装置は、二光束干渉装置であり、
前記観測用セルの底部には、反射用ミラーが形成されている
ことを特徴とする溶解度測定システム。
【請求項１３】
請求項１２記載の溶解度測定システムにおいて、
前記ミラーは、前記結晶のサイズに対応してその位置を変化することにより、前記観測用セルの上部との距離を変更可能とする
ことを特徴とする溶解度測定システム。
【発明の詳細な説明】
【技術分野】
【０００１】
本発明は、結晶を溶液で溶解あるいは成長させながら前記溶液に対する結晶の溶解度を計測する溶解度測定システムに関する。
【背景技術】
【０００２】
物質の溶解度は、製薬（創薬）や食品化学や生物学等のライフサイエンス分野における新製品の開発において、重要且つ基本的な物理化学的特性である。しかしながら、新たに得られた試料については、溶解度のデータを取得する際に、利用可能なサンプル量が極微量であるために溶解度測定を十分に行うことができない場合があったり、あるいは、前記試料の溶解速度が遅いために測定に長時間を要する場合があり、前記データの取得が困難とされている。
【０００３】
一例として、創薬プロセスの分野において、微量サンプルによる短時間での溶解度測定の必要性について説明する。
【０００４】
創薬プロセスの分野では、薬剤候補化合物を探索する際に、できる限り短時間で該化合物の物理化学的特性が得られることが必要とされている。特に、コンビナトリアルケミストリーのような合成技術によって［μｇ］オーダの微量の試料が得られた場合にも、速やかに前記試料の溶解度測定ができることが望ましい。
【０００５】
一方、タンパク質の三次元構造を知ることにより、薬剤候補化合物（リード化合物）を効率的に合成することが可能となる。そのため、タンパク質の立体構造を一早く把握できることが薬剤開発の短期化にとって必須の条件となる。しかしながら、前記タンパク質の立体構造をＸ線構造解析を利用して解析する場合、前記タンパク質の結晶は、Ｘ線に対して高分解能で構造識別可能な程度の良質な結晶まで成長させる必要があり、このような結晶を生成するためには、数ヶ月から数年の長期間を要する。
【０００６】
また、結晶学の原理から考察すると、結晶核生成や結晶成長に関する基本情報（溶解度等の相平衡データ）を測定し、それに基づいて結晶化を行うのが合理的なアプローチであるが、このような方法では、データの取得に対して年単位の時間と多量のサンプルが必要であり、前記基本情報に基づいて良質な結晶を作成することは現実的に不可能である。
【０００７】
さらに、薬剤の製造工程では結晶化プロセスが必須であるが、製造条件を一部変更しただけでも結晶の性質が変わる、いわゆる結晶多形現象が発生する。前記結晶多形現象によって、溶解度等の特性が変化し、薬効が得られなくなる等の問題が生ずる。そのため、結晶多形現象は、製薬工程の品質管理上、重要な現象として認識され、上記した薬剤開発では、薬剤候補化合物が得られた段階から、前記結晶多形現象を漏れなく計測することが可能となる溶解度測定を含んだ効率的な分析方法が望まれている。
【０００８】
従来より、試料の溶解度測定では、溶解度を測定したいサンプル（例えば、薬剤候補化合物やタンパク質の結晶等）を溶媒中に配置した後に前記溶媒を攪拌し、前記試料及び前記溶媒が平衡濃度に到達したときに、前記溶媒となる溶液中の前記結晶の濃度を分光法、ＨＰＬＣ（高速液体クロマトグラフィー）又は質量分析法等によって計測する。これらの方法では、溶解速度や成長速度の小さなサンプルの場合には、平衡温度に達するまでに長時間を要するという問題がある。例えば、タンパク質の結晶の場合には数ヶ月を要し、薬剤候補化合物の場合でも数日から数週間の長時間を要する。
【０００９】
一方で、溶解度測定に光干渉法を用いることにより、上記したデータ取得時間を短縮する方法が開示されている（非特許文献１参照）。この方法では、光干渉法を用いて結晶近傍での溶媒の濃度変化を計測するものであり、バルク溶液が飽和濃度になるのを待つことなく、溶解度を検出できるようにしている。
【００１０】
図１４は、非特許文献１に開示された溶解度測定システム２００の要部断面図であり、マイケルソン干渉計（以下、二光束干渉装置ともいう。）２０２を用いた二光束干渉法によってサンプルの溶解度を計測するものである。
【００１１】
すなわち、図示しない光源からの光２０４は、対物レンズ２０６を介してビームスプリッター２０８により分光され、分光された一方の光２１０は、サンプルとしての結晶２１２及び溶液２１４が収容された観測用セル２１６に向かって進行し、他方の光２１８は、補償板２２０を介して参照鏡２２２に向かい進行する。
【００１２】
光２１０は、観測用セル２１６の底部に形成された図示しないミラーにおいて反射され、一方で、光２１８は、参照鏡２２２において反射され、各反射光２２４、２２６は、ビームスプリッター２０８及び対物レンズ２０６を介して図示しないカメラに受光される。
【００１３】
この場合、前記ミラー及び参照鏡２２２の各反射鏡が所定の干渉条件を満足すれば、反射光２２４、２２６によって形成される干渉縞が前記カメラで撮影される。ここで、前記ミラーが光２１０に対して所定角度だけ傾斜していれば、観測用セル２１６の内部に一様な濃度の溶液２１４が充填された際に、所定間隔に形成された直線状の干渉縞を得ることができる。得られた前記干渉縞の分布より溶液２１４の濃度分布を評価するには、溶液２１４中の光学的距離が濃度に対して線形関係を有する特徴を利用する。例えば、ある場所の濃度が濃くなると、その場所の光学距離が他の場所と比較して長くなり、この結果、干渉縞の位置がずれてくる。
【００１４】
図１５は、前記干渉縞が変化するまでの状況を説明するフローチャートであり、図１６Ａ〜図１６Ｃは、前記カメラで撮影された干渉縞を含む画像の時間的変化を概略図である。
【００１５】
ここで、結晶２１２と溶液２１４とが略平衡状態のときには、観測用セル２１６（図１４参照）内部の溶液２１４の溶質濃度や屈折率が一様であるため、図１６Ａに示すように、各干渉縞２３０は互いに平行となる。次いで、結晶２１２が成長すると（図１５のステップＳ３０）、結晶２１２近傍における溶液２１４の溶質濃度が、該結晶２１２より離間した箇所の溶液２１４の濃度と比較して低下する（ステップＳ３１）。この結果、結晶２１２近傍の溶液２１４の屈折率が低下し（ステップＳ３２）、さらに、濃度変化に対応して、結晶２１２近傍における光２１０、２２４の光学的距離が他の箇所と比較して変化するので（ステップＳ３３）、図１６Ｂに示すように、結晶２１２近傍の干渉縞２３０は湾曲する（ステップＳ３４）。次いで、結晶２１２が溶液２１４に溶解すると、結晶２１２近傍の溶質濃度が増加するため、図１６Ｃに示すように、干渉縞２３０は、図１６Ｂの結晶成長の場合と比較して、逆方向に湾曲する。
【００１６】
このように、前記二光束干渉法を用いる溶解度測定法は、溶質濃度又は濃度変化を溶液２１４の屈折率変化から求める方法である。この場合、図１４の溶解度測定システム２００は、結晶２１２近傍における溶液２１４の濃度分布より該溶液２１４と結晶２１２とが平衡状態にあるか否かを判定し、溶液２１４の溶質濃度をその温度における溶解度として計測する。従って、この溶解度測定システム２００では、観測用セル２１６内部に収容された溶液２１４の全体が平衡状態に達するのを待つことなく、溶解度を計測することが可能である。
【００１７】
また、溶解度測定システム２００では、観測用セル２１６として高さが１［ｍｍ］以下のオーダの微小空間を利用し、結晶２１２近傍での濃度変化による干渉縞２３０の曲がりより、該結晶２１２が溶解、成長過程又は平衡状態にあるのかを判断しながら、タンパク質結晶（リゾチーム等）の溶解度を短時間（１温度点あたり約１００分）で測定する。
【００１８】
このように、溶解度測定システム２００が他の方法と比較して著しく短時間で溶解度測定を行えるのは、結晶２１２近傍での溶液２１４の濃度変化のみに着目し、この箇所における濃度変化が他の箇所における濃度変化と比較して非常に速く進行することを利用したためである。この場合、溶液２１４には対流や攪拌への寄与が小さく、結晶２１２近傍での濃度変化は、結晶２１２の溶液２１４への拡散に基づくものであり、該結晶２１２表面で溶解が進むと、結晶２１２近傍に濃度勾配が生じ、前記拡散によって濃度変化が周囲に広がってゆく。
【００１９】
ここで、所定距離Ｌ［ｍ］だけ拡散するために必要な拡散時間τ［ｓ］は、拡散係数Ｄ［ｍ2／ｓｅｃ］より、τ＝Ｌ2／Ｄで表わすことができる。例えば、卵白リゾチームの拡散係数Ｄが４×１０-11［ｍ2／ｓ］程度であるので、Ｄ＝１０-11［ｍ2／ｓ］とすれば、Ｌ＝１［ｍｍ］だけ拡散するために必要な拡散時間τは１０5［ｓ］となり、Ｌ＝１００［μｍ］ではτ＝１０3［ｓ］となり、Ｌ＝１０［μｍ］ではτ＝１［ｓ］となる。
【００２０】
すなわち、１［ｍｍ］程度のサイズの溶液２１４のバルク濃度を知りたい場合には濃度測定に略一日を要するが、１０［μｍ］程度の拡散距離Ｌにおける濃度変化を知るには１［ｓ］程度でよい。これにより、観測用セル２１６を小型化する程、短時間で溶解度測定を行うことが可能となる。
【００２１】
そして、溶解度測定システム２００では、結晶２１２表面における干渉縞２３０の曲がりを作業者が目視で判断することにより、観測用セル２１６中の既知濃度の溶液２１４に対する平衡温度点を求めている。その際の計測手順は以下のとおりである。
【００２２】
（１）測定対象の結晶２１２及び所定の溶質濃度を有する溶液２１４の調整を行う。（２）結晶２１２と溶液２１４を観測用セル２１６に導入する。（３）二光束干渉装置２０２について、結晶２１２及び溶液２１４に対する焦点及び観測用セル２１６底部のミラーの位置を調節し、結晶２１２周辺における干渉縞２３０を形成する。（４）恒温ステージ２４０に設けられたペルチェ素子２４２を用いて、該恒温ステージ２４０上に配置された観測用セル２１６の温度を所定温度に調整し、結晶２１２周辺の干渉縞２３０を観察する。（５）干渉縞２３０の曲がりを作業者が目視により判断しながら、結晶２１２周辺における干渉縞２３０が直線となるまで観測用セル２１６の温度を上下動させる。（６）干渉縞２３０が直線となったときの温度を平衡温度とする。（７）観測用セル２１６内の溶液２１４を次回の濃度測定用の溶液２１４と入れ替え、上記した（１）〜（５）の手順を繰り返す。（８）必要とされる濃度範囲での平衡温度が全て測定された場合には計測を終了する。
【００２３】
【非特許文献１】佐崎等「二光束干渉法によるリゾチーム結晶周囲の濃度場観察」日本結晶成長学会誌Ｖｏｌ．２３、Ｎｏ．５、１９９６
【発明の開示】
【発明が解決しようとする課題】
【００２４】
しかしながら、上記した溶解度測定システム２００では、観測用セル２１６を小型化して拡散時間τを短縮しても、結晶２１２及び溶液２１４の調整や導入、平衡温度の計測等の多くの手順を全てマニュアル操作で行っているので、一連の計測時間をさらに短縮することは容易ではない。また、観測用セル２１６を単純に小型化しても、該観測用セル２１６に対して溶液２１４を導入する作業もマニュアル操作であるから、該溶液２１４の取り扱いが却って複雑となり、観測用セル２１６の小型化を行うことはできない。
【００２５】
本発明は、上述した課題を解決するためになされたものであり、より少ない量で溶液に対する結晶の溶解度を短時間に計測することを可能とする溶解度測定システムを提供することを目的とする。
【課題を解決するための手段】
【００２６】
本発明に係る溶解度測定システムは、溶解度を測定する試料用の結晶及び溶液を収容する観測用セルと、前記観測用セルに対する前記溶液の供給及び排出を行うマイクロ流体チップと、前記マイクロ流体チップから前記観測用セルに対する前記溶液の供給及び排出を制御するマイクロ流体チップ制御装置と、前記観測用セル内を前記所定温度に制御する温度制御装置と、前記結晶近傍の溶質濃度変化から該結晶の溶解、平衡及び成長を判別するために前記溶液の前記結晶近傍における溶質濃度を計測する濃度計測装置とを有し、前記温度制御装置は、前記観測用セル内の温度を前記結晶と前記溶液との平衡温度にまで変化させ、前記平衡温度における溶質濃度を前記溶液に対する前記結晶の溶解度として計測することを特徴とする。
【００２７】
上記した構成によれば、前記マイクロ流体チップ制御装置によって、前記マイクロ流体チップから前記観測用セルに対する前記溶液の供給及び排出制御を自動的に行い、前記温度制御装置によって、前記観測用セル内の温度制御を自動的に行い、前記濃度計測装置によって、前記溶質濃度及び前記溶解度の計測を自動的に行う。すなわち、前記溶解度測定システムでは、人手を介することなく前記観測用セルに対する前記溶液の駆動制御と、前記観測用セルの温度制御と、前記溶質濃度及び前記溶解度の計測を自動的に行う。これにより、前記溶質濃度及び前記溶解度の計測時間を短縮することが可能となる。また、前記マイクロ流体チップ及びマイクロ流体チップ制御装置を用いることにより、微少量の溶液の操作を簡便あるいは自動で行うことができるため、前記観測用セルの小型化が可能となる。該観測用セルの小型化は、一つには、使用するサンプル量の低減と、計測時間の短縮につながる。
【００２８】
ここで、前記観測用セルにおける前記結晶及び前記溶液の容量を１０［μｌ］以下とすれば、前記計測時間を一層短縮することができると共に、使用するサンプル量も微量化することができる。
【００２９】
また、前記マイクロ流体チップは、前記観測用セルに接続され且つ前記観測用セルに前記溶液を供給する供給用流路と、前記観測用セルに接続され且つ前記観測用セルより前記溶液を排出する排出用流路とを有することが好ましい。
【００３０】
さらに、前記マイクロ流体チップは、複数の溶液が導入される複数の溶液導入部と、前記各溶液導入部に接続される定量流路と、前記定量流路及び前記観測用セルに各々接続される溶液混合部とをさらに有し、前記定量流路は、前記溶液導入部に導入された前記各溶液を所定量だけ各々計量し、前記溶液混合部は、前記定量流路で計量された前記各溶液を混合して、混合された前記各溶液を前記観測用セルに供給することが好ましい。これにより、所望濃度の溶液を自動的に調整して前記観測用セルに供給することができるので、前記計測時間のさらなる短縮化を実現することができる。
【００３１】
さらにまた、前記マイクロ流体チップは、前記溶液混合部と前記定量流路とに各々接続され且つ計量された前記各溶液を収容する複数の前置セルをさらに有し、前記溶液混合部は、前記各前置セルに収容された前記各溶液を混合して、混合された前記各溶液を前記観測用セルに供給することが好ましい。これにより、所望濃度の溶液を正確に調整して前記観測用セルに供給することができる。
【００３２】
さらにまた、前記マイクロ流体チップは、前記定量流路及び前記溶液混合部を介して前記観測用セルに接続されると共に、前記溶液導入部に接続されたスプリット用流路をさらに有し、外部より前記スプリット用流路を介して前記定量流路に空気を送り込むことにより、前記定量流路内に導入された前記各溶液を所定量に分割することが好ましい。これにより、前記各溶液をより正確に定量することが可能となる。
【００３３】
さらにまた、前記排出用流路は、前記定量流路及び前記溶液混合部を介して前記観測用セルと接続されていることが好ましい。
【００３４】
さらにまた、前記溶液導入部に導入される前記各溶液は、前記供給用流路より前記観測用セルに供給される溶液を希釈するための希釈溶液であり、前記溶解度測定システムは、前記供給用流路より前記観測用セルに供給された溶液による前記結晶の溶解度を計測した後に、前記各希釈溶液によって希釈された溶液を用いて前記結晶の溶解度を順次計測することが好ましい。
【００３５】
この場合、最初の溶解度測定では最も濃度の高い溶液が前記観測用セルに供給され、２回目以降では、濃度の低い溶液が前記観測用セルに順次供給されて溶解度測定が順次行われる。すなわち、濃度の高い溶液から順に前記溶解度測定が行われるので、貴重なサンプル溶液としては初期導入分のみの使用で済み、サンプル溶液の使用量を最小化することができる。
【００３６】
さらにまた、前記マイクロ流体チップを前記観測用セルに内蔵すれば、システム全体の小型化を図ることができる。
【００３７】
さらにまた、前記マイクロ流体チップ制御装置は、前記マイクロ流体チップ近傍に配置されたカメラと、前記カメラに電気的に接続される溶液位置監視部と、前記溶液位置監視部に電気的に接続される溶液制御用電源部と、前記溶液制御用電源部に電気的に接続され且つ前記マイクロ流体チップ内における前記溶液の移動を制御するマイクロポンプとを有し、前記カメラは、前記マイクロ流体チップにおける前記溶液の前記観測用セル側の液面位置を撮影して、撮影した画像を前記溶液位置監視部に出力し、前記溶液位置監視部は、入力された前記画像に基づいて前記液面位置を所定位置にまで変位させるための液面位置制御信号を生成して前記溶液制御用電源部に出力し、前記溶液制御用電源部は、入力された前記液面位置制御信号に基づいて前記マイクロポンプを駆動し、前記液面位置を前記所定位置にまで変位させることが好ましい。
【００３８】
この場合、前記カメラは、前記溶液の液面位置を撮影し、前記溶液位置監視部は、前記画像に基づいて前記液面位置制御信号を生成し、前記溶液制御用電源部は、前記液面位置制御信号に基づいて前記マイクロポンプを駆動し、前記液面位置を前記所定位置にまで変位させる。すなわち、前記マイクロ流体チップ制御装置は、前記マイクロ流体チップ中の前記溶液に対して前記液面位置のフィードバックを行っている。これにより、前記溶液の液面位置を正確に制御することができると共に、前記観測用セルに対して所望量の溶液を正確に供給及び排出することが可能となる。
【００３９】
また、前記溶解度測定システムは、前記濃度計測装置と電気的に接続される濃度分布変化算出装置をさらに有し、前記温度制御装置は、前記濃度分布変化算出装置に電気的に接続される温度制御用電源部と、前記温度制御用電源部に電気的に接続され且つ前記観測用セル内の温度を調整する温度調整部とを有し、前記濃度分布変化算出装置は、前記濃度計測装置より入力された前記溶質濃度に基づいて前記結晶近傍における前記溶質濃度の濃度分布変化を算出し、算出した前記濃度分布変化に基づいて前記観測用セル内の現在の温度を前記平衡温度にまで変化させる温度制御信号を生成して前記温度制御用電源部に出力し、前記温度制御用電源部は、入力された前記温度制御信号に基づいて前記温度調整部を駆動し、前記観測用セル内の温度を前記平衡温度にまで変化させることが好ましい。
【００４０】
この場合、前記濃度分布変化算出装置は、前記温度制御信号を生成し、前記温度制御用電源部は、前記温度制御信号に基づいて前記温度調整部を駆動し、前記観測用セル内の温度を前記平衡温度にまで変位させる。すなわち、前記濃度分布変化算出装置及び前記温度制御装置は、前記観測用セル内の前記溶液及び前記結晶に対する温度のフィードバックを行っている。これにより、前記溶液及び前記結晶の温度を速やかに前記平衡温度にまで調整することが可能となり、前記溶解度の計測時間をより一層短縮化することができる。
【００４１】
さらにまた、前記濃度計測装置は、二光束干渉装置であり、前記観測用セルの底部には、反射用ミラーが形成されていることが好ましい。
【００４２】
さらにまた、前記ミラーは、前記結晶のサイズに対応してその位置を変化することにより、前記観測用セルの上部との距離を変更可能とすることが好ましい。これにより、異なったサイズの結晶を測定する場合にも、それぞれのサイズ（セル高さ）に合わせた観測用セルを用意する必要が無く、測定をより正確に且つ効率的に行うことができる。
【発明の効果】
【００４３】
本発明に係る溶解度測定システムによれば、マイクロ流体チップ制御装置によって、マイクロ流体チップから観測用セルに対する溶液の供給及び排出制御を自動的に行い、温度制御装置によって、前記観測用セル内の温度制御を自動的に行い、濃度計測装置によって、溶質濃度及び溶解度の計測を自動的に行う。すなわち、前記溶解度測定システムでは、人手を介することなく前記観測用セルに対する前記溶液の駆動制御と、前記観測用セルの温度制御と、前記溶質濃度及び前記溶解度の計測を自動的に行う。これにより、前記溶質濃度及び前記溶解度の計測時間を短縮することが可能となる。また、前記マイクロ流体チップ及びマイクロ流体チップ制御装置を用いることにより、微少量の溶液の操作を簡便あるいは自動で行うことができるため、前記観測用セルの小型化が可能となる。該観測用セルの小型化は、一つには、使用するサンプル量の低減と、計測時間の短縮につながる。
【発明を実施するための最良の形態】
【００４４】
本発明に係る溶解度測定システムについて好適な実施の形態を挙げ、添付の図面を参照しながら以下詳細に説明する。
【００４５】
本実施形態に係る溶解度測定システム１０は、図１に示すように、溶液及び結晶を収容する観測用セル１２と、該観測用セル１２に対して前記溶液の供給及び排出を行うマイクロ流体チップ１４と、該マイクロ流体チップ１４から観測用セル１２に対する前記溶液の供給及び排出を制御するマイクロ流体チップ計測制御装置１６と、観測用セル１２内に収容された前記溶液及び前記結晶の温度を所定温度に制御する温度制御装置１８と、前記溶液の前記結晶近傍における溶質濃度を計測する濃度計測装置２０と、前記結晶近傍における前記溶質濃度変化を算出するデータ処理装置（濃度分布変化算出装置）２２とを有する。なお、上記した濃度計測装置２０とデータ処理装置２２とで溶解度測定自動制御装置を構成する（図１参照）。
【００４６】
観測用セル１２は、図２及び図３に示すように、振動や温度変化による変形が少ない材料で構成することが好ましく、濃度計測装置２０が二光束干渉装置で構成される場合には、光学的に透明で且つ歪みの少ない石英ガラス等で構成されると好適である。また、観測用セル１２の内部には、結晶２４及び溶液２６を収容するための収容部２８が形成されている。本実施形態では、観測用セル１２は、図１〜図７に示すように、マイクロ流体チップ１４に内蔵されているが、該マイクロ流体チップ１４より観測用セル１２に対する溶液２６の供給及び排出が可能であれば、観測用セル１２とマイクロ流体チップ１４とを別体としてもよいことは勿論である。
【００４７】
図２において、マイクロ流体チップ１４の内部には、溶液２６が流通する流路３０が形成され、該流路３０の一部を該マイクロ流体チップ１４の厚み方向に拡径することにより観測用セル１２を構成する収容部２８が形成される。収容部２８の側部には、外部に連通する孔３２が上方に向かって形成され、前記孔３２は、蓋体３４によって閉塞されている。また、収容部２８の底部にはミラー３６が形成されている。さらに、観測用セル１２を含むマイクロ流体チップ１４は、温度制御装置１８を構成する恒温ステージ（温度調整部）３８の上面に配置される。
【００４８】
結晶２４及び溶液２６を収容部２８内に導入する際には、先ず、蓋体３４を観測用セル１２から取り外した状態で孔３２を介して該結晶２４をミラー３６表面に載置する。次いで、蓋体３４を観測用セル１２上に載置して孔３２を閉塞し、最後に、マイクロ流体チップ１４より流路３０を介して溶液２６を導入する。なお、結晶２４は、溶液２６と同時にピペッタ等を用いて収容部２８内に導入することも可能である。
【００４９】
この場合、観測用セル１２の収容部２８の容積は０．０１［μｌ］〜１０［μｌ］とし、該収容部２８の厚みは、５００［μｍ］以下とし、観測用セル１２の長手方向の幅は、３［ｍｍ］以下とすることが好ましい。
【００５０】
また、濃度計測装置２０が二光束干渉装置で構成される場合には、収容部２８の底部には前述したミラー３６を配置することが必要であるが、該濃度計測装置２０が他の測定原理に基づいて結晶２４近傍における溶液２６の溶質濃度を計測する場合には、このようなミラー３６は不要である。
【００５１】
さらに、図２に示す観測用セル１２では、収容部２８の厚みを変化することができないので、結晶２４を前記厚みに合わせて多くの異なった寸法の蓋を用意しておく必要がある。そこで、図３に示すように、収容部２８の底部を前記厚み方向に対して変位可能なステージ４０とすれば、該結晶２４のサイズに対応して収容部２８の厚みを変化することが可能となり、異なったサイズの結晶２４を測定する場合にも、それぞれのサイズ（セル高さ）に合わせた観測用セル１２を用意する必要が無く、測定をより正確に且つ効率的に行うことができる。
【００５２】
この場合、ステージ４０の側部と恒温ステージ３８との間のギャップは、できる限り小さくとり、前記ギャップの表面を疎水性処理するか、あるいは、前記ギャップに疎水性のシール部材４２で充填することが好ましい。
【００５３】
図１に示す濃度計測装置２０は、結晶２４（図２及び図３参照）近傍における溶液２６の溶質濃度あるいは濃度変化を計測するものであり、従来技術に係る二光束干渉装置２０２（図１４参照）で構成することも可能である。この場合、結晶２４近傍の溶質濃度が計測可能あれば、吸光度測定装置等を用いても構わない。
【００５４】
図４は、マイクロ流体チップ１４の基本概念を示す構成図である。なお、以下の説明では、マイクロポンプ５０、５２、６４、６６、７０、７４、７８、８０として電気浸透流ポンプを用いるという想定で説明する。
【００５５】
本実施形態では、１０［μＬ］以下の微少量の溶液２６の調整や観測用セル１２に対する該溶液２６の導入及び排出の操作を簡便化し且つ自動化を行うために、観測用セル１２をマイクロ流体チップ１４に内蔵し、マイクロ流体チップ計測制御装置１６を構成するマイクロポンプ５２、６４、６６、７０、７４、７８、８０の駆動下に、マイクロ流体チップ１４における前述した調整、導入及び排出の一連の作業を行っている。
【００５６】
ここで、前述した０．０１［μＬ］〜１０［μＬ］程度の溶液２６のサンプル量を取り扱うには、溶液２６を流す流路のサイズを数十［μｍ］以下とする必要がある。このような流路は、従来より利用されているキャピラリーやチューブを用いるのではなく、ガラス基板やプラスチック基板にマイクロ流路を形成し、該マイクロ流路に溶液２６を流すようにすれば、該溶液２６の駆動制御を容易に行うことが可能となる。なお、前記マイクロ流路とは、マイクロ流体チップ１４内に形成される各流路や各部分の総称である。
【００５７】
そこで、図４のマイクロ流体チップ１４では、ガラス基板や透明なプラスチック基板の内部に、前述したマイクロ流路を形成している。
【００５８】
すなわち、観測用セル１２は、流路（初回の供給用流路）３３を介してポンプ（Ｐ０）５２に接続され、一方で、流路３１を介して混合領域（溶液混合部）５４に接続されている。該混合領域５４は、流路５６を介して定量流路５８及び前置セル（前置セル１、２）６０、６２に各々接続され、該前置セル６０、６２は、ポンプ（Ｐ１、Ｐ２）６４、６６に接続されている。定量流路５８は、スプリット用流路６８を介してスプリット用ポンプ（ＰＳ）７０と接続され、一方で、流路７２を介してリザーバ付ポンプ（ＲＰ１）７４と接続されている。また、定量流路５８は、排出用流路７６を介して廃液リザーバ用ポンプ（廃液回収用ポンプともいう。）７８と接続されている。さらにまた、観測用セル１２は、流路３３を介してリザーバ付ポンプ８０と接続されている。
【００５９】
この場合、リザーバ付ポンプ８０には、初回の溶解度測定で使用されるサンプル用の溶液２６が収容され、一方で、リザーバ付ポンプ７４には、２回目以降の溶解度測定においてサンプル用の溶液２６を希釈するための希釈溶液が収容されている。そして、各ポンプ５２、６４、６６、７０は、エアを介して内部の溶液２６の送液及び吸引を行う。
【００６０】
また、混合領域５４は、観測用セル１２内の溶液２６とリザーバ付ポンプ７４に収容された希釈溶液との混合を行う。この場合、混合方法には、マイクロ流路内での拡散による混合や、マイクロミキサーを用いる方法等が可能である。
【００６１】
定量流路５８は、所定量の溶液２６を計量するための流路である。また、スプリット用流路６８は、定量流路５８のＭ点からＳ点に充填された液体を分割するために外部より供給されたエアを該定量流路５８に送り込む流路である。さらに、前置セル６０、６２は、定量流路５８で一定量の分割された前記液体を収容するための空間である。さらにまた、廃液回収用ポンプ７８は、溶解度測定に使用したサンプル用の溶液２６を回収し、保持するためのポンプであり、該廃液回収用ポンプ７８内部に液溜め構造を有している。
【００６２】
そして、本実施形態では、観測用セル１２で使用されるサンプル量をできる限り最小化するために、溶解度測定の順序として、高濃度の溶液２６に対する溶解度測定を行った後に、前記希釈溶液で該溶液を順次希釈することにより所定の溶液濃度に対する溶解度及び溶質濃度の測定を順次行うようにしている。
【００６３】
この場合、マイクロ流体チップ計測制御装置１６を用いてマイクロ流体チップ１４における溶液２６及び希釈溶液の移動制御を自動的に行っている。すなわち、図４のマイクロ流体チップ１４では、溶液２６（例えば、タンパク質溶液）の濃度を所定比率に希釈しながら、溶解度測定を繰り返し行う。なお、このマイクロ流体チップ１４では、溶解度測定の行う度に溶液２６の濃度を１／２ずつ希釈するようにしている。
【００６４】
具体的には、先ず、観測用セル１２にサンプル用の結晶２４を配置する。次いで、溶液充填用ポンプ７４に希釈溶液を充填し、一方で、溶液充填用ポンプ（初期溶液充填用ポンプともいう。）８０にサンプル用の溶液２６を充填した後に、該溶液充填用ポンプ８０より流路３３を介して観測用セル１２に溶液２６を供給する。観測用セル１２の収容部２８では、供給した溶液２６によって結晶２４の第１回目の溶解度の計測が濃度計測装置２０によって行われる。
【００６５】
次に、第１回目の計測が終了した後に行われる溶液２６を希釈する操作について説明する。
【００６６】
先ず、廃液回収用ポンプ７８を吸引動作させ、ポンプ５２を押し出し操作することにより、観測用セル１２内の溶液２６を流路３１から定量流路５８を経由して廃液回収用ポンプ７８に移送する。そのとき、溶液２６における最後尾の液位がＭ点に到達したら溶液２６の移動を停止する。
【００６７】
次に、スプリット用ポンプ７０によりスプリット用流路６８を経由してＳ点にエアを押し出し、且つポンプ６４を吸引動作させることにより、定量流路５８の溶液２６をＳ点において分断する。さらに、スプリット用ポンプ７０とポンプ６４の動作を続けることにより、Ｓ点からＭ点の間に存在する溶液２６がＭ点を経由して前置セル６０に収容される。
【００６８】
次に、希釈溶液の定量操作を以下の通りに行う。
【００６９】
溶液充填用ポンプ７４により希釈溶液を押し出しながらポンプ６６を吸引操作すると、前記希釈溶液は、流路７２及びＳ点を経由して定量流路５８に移送される。この場合、前記希釈溶液の先頭は、Ｍ点で停止される。次いで、スプリット用ポンプ７０によりスプリット用流路６８を経由してＳ点にエアを押し出し、且つポンプ６６を吸引動作させることにより、定量流路５８の前記希釈溶液をＳ点において分断する。さらに、スプリット用ポンプ７０とポンプ６６の動作を続けることにより、Ｓ点からＭ点の間に存在する前記希釈溶液がＭ点を経由して前置セル６２に収容される。
【００７０】
次に、ポンプ５２で吸引動作、ポンプ６４、６６で押し出し操作を行うことにより、前置セル６０に収容された溶液２６と前置セル６２に収容された前記希釈溶液とを同時に混合領域５４に移動させる。これにより、混合領域５４において混合された溶液２６と前記希釈溶液とは、濃度が低下した新たな溶液２６として、流路３１を介して観測用セル１２に充填される。
【００７１】
この結果、濃度の低下した溶液２６による２回目の溶解度及び溶質濃度の測定が行われる。３回目以降の測定の前には、マイクロ流体チップ１４における上記した調整及び混合作業を繰り返し行われる。
【００７２】
そして、溶解度測定が完了した最も濃度の低い溶液２６は、ポンプ５２、７８を介して、観測用セル１２より廃液回収用ポンプ７８に回収される。
【００７３】
図１に示すマイクロ流体チップ計測制御装置１６は、定量流路５８に対する溶液２６及び希釈溶液の液面位置を正確に位置決め制御するためのものであり、前記各液面位置を撮影するＣＣＤカメラ８２と、該ＣＣＤカメラ８２で撮影された該液面位置を含む画像に基づいて前記液面位置を所定位置（Ｍ点）にまで変位させるための液面位置制御信号を生成するデータ処理装置（液体位置監視部）８４と、該データ処理装置８４で生成された前記液面位置制御信号に基づいてポンプ５０、６４、７０等を駆動する電源・制御装置（ポンプ制御用電源部）８６とから構成される。
【００７４】
この場合、溶液２６及び希釈溶液の定量を自動的に行うために、ＣＣＤカメラ８２によってマイクロ流体チップ１４内におけるマイクロ流路を撮影し、溶液２６及び前記希釈溶液の先頭の液面位置又は終端の液面位置が定量流路５８における所定位置（Ｍ点）に停止するようにポンプを動作させる。また、溶液２６及び希釈溶液を混合領域５４で混合して、混合された溶液２６を観測用セル１２に供給するときにも、ＣＣＤカメラ８２によって、観測用セル１２への充填状況を確認し、該充填が完了したときにポンプの動作を停止する。
【００７５】
なお、上記したマイクロ流体チップ１４では、定量流路５８の全長を約４０［ｍｍ］とし、溶液２６又は前記希釈溶液を０．４［ｍｍ］の位置決め精度で駆動制御できれば、溶液２６又は前記希釈溶液の量を１［％］程度の誤差とすることが可能である。そのためには、ＣＣＤカメラ８２の視野を２０［ｍｍ］×２０［ｍｍ］程度とすれば、１００万画素程度では、１画素当りの解像度を略２０［μｍ］とすることができ、４００［μｍ］以内の精度で溶液２６及び前記希釈溶液の液面位置を位置決め制御することは、制御性の良いマイクロポンプを用いれば容易である。
【００７６】
このように、結晶２４が貴重なサンプルである場合には、溶液２６を順次希釈して再利用することにより、溶解度測定に必要なサンプルを最小限にすることができる。
【００７７】
なお、図４のマイクロ流体チップ１４では、１つの定量流路５８を利用したものであり、１／２ずつ希釈するようにしている。なお、希釈方法はこれに限定されるものではなく、任意の希釈率で溶液２６を希釈してもよいことは勿論である。
【００７８】
図５は、図４のマイクロ流体チップ１４の他の構成を示す平面図であり、該マイクロ流体チップ１４に観測用セル１２と、溶液２６を導入及び排出するためのマイクロ流路のみを設けた簡単な構造である。
【００７９】
この構成では、溶液２６の調整は、マイクロ流体チップ１４の外部で予め行い、調整された該溶液２６をポンプ７４に充填した後に、ポンプ７４で溶液２６を押し出しながら、ポンプ６４で吸引することにより、溶液２６を観測用セル１２に充填する。また、測定終了後は、ポンプ７０で押し出しながら、ポンプ８０で吸引することにより溶液２６を回収する。このような構成は、結晶２４のサンプル量に対する制約が厳しくない場合であって、且つマイクロ流体チップ１４内部での溶液２６の希釈が不要な場合に用いられる。
【００８０】
図６は、図４のマイクロ流体チップ１４の他の構成を示す平面図であり、混合領域５４が複数の前置セル（前置セル１〜ｎ）６０ｉ（ｉ＝１〜ｎ）を介して複数のポンプ（Ｐ１〜Ｐｎ）６４ｉと接続され、且つ定量流路５８が複数のポンプ（ＲＰ１〜ＲＰｎ）７４ｉと接続される一方で、初期溶液充填用ポンプ８０がない。この場合、溶液充填用ポンプ７４ｉに種類の異なる複数の溶液を各々充填することにより、観測用セル１２において、複数の組成の異なる溶液２６に対する溶解度の計測を行うことが可能となる。
【００８１】
図７は、図４及び図６に示すマイクロ流体チップ１４に対する具体例であり、該マイクロ流体チップ１４における各部分をマイクロチャンネル（微細な流路）で実現したものである。
【００８２】
図１のデータ処理装置２２は、濃度計測装置２０で計測された結晶２４近傍における溶液２６の溶質濃度より該結晶２４近傍の前記溶質濃度分布変化を算出し、濃度分布に変化がある場合には、結晶２４及び溶液２６が平衡状態（平衡温度）に到達していないものと判断し、結晶２４及び溶液２６の現在の温度を前記平衡温度にまで変化させるための信号（温度制御信号）を生成する。
【００８３】
また、温度制御装置１８は、観測用セル１２を所定温度に制御する恒温ステージ３８と、恒温ステージ３８を駆動させる電源・制御装置（温度制御用電源部）８８とを有し、該電源・制御装置８８は、前記温度制御信号に基づいて結晶２４及び溶液２６の温度が平衡温度となるように制御する。
【００８４】
ここで、結晶２４及び溶液２６の現在の温度を前記平衡温度にまで変化させる作業は、従来は、作業者の目視による判断（平衡、溶解及び析出の判定）に基づいて、設定温度を変えながら行ってきた。このため、非常に手間がかかる上に、溶解度の測定時間を短縮化することができない。
【００８５】
そのため、本実施形態では、平衡温度計測を効率的に行うため、データ処理装置２２において画像処理により濃度分布変化を自動判定し、その結果を用いて恒温ステージ３８における温度をフィードバック制御することにより、人手を介さずに、迅速に平衡温度に到達するようにしている。
【００８６】
具体的には、濃度計測装置２０を二光束干渉装置で構成し、前記二光束干渉装置では、観測用セル１２内の結晶２４近傍の干渉縞パターンを計測し、データ処理装置２２では、得られた前記干渉縞パターンに対して画像処理を行い、結晶２４近傍における溶液２６の濃度変化を得る。この場合、前記濃度変化を短時間で算出可能な方法としては、位相シフト干渉法やフーリエ変換法等がある。
【００８７】
ここでは、二光束干渉法を用いた場合のデータ処理の実施例としてフーリエ変換法（例えば、Mitsuo Tanaka, Hideki Ina and Seiji Kobayashi, "Fourier-transform method of fringe-pattern analysis for computer-based topography and interferemetry", J. Opt. Soc. Am, Vol. 72, No.1, January 1982）を用いた処理手順を示す。
【００８８】
結晶２４表面での溶解、平衡及び成長のどのステージにあるかを自動判定するためには、結晶２４から十分離れたバルク領域（例えば、１［ｍｍ］程度）において、計測期間を通して溶質濃度が一定であるとみなせることから、前記バルク領域と結晶２４表面近傍の２点間の濃度差あるいは濃度差に創刊する量を求めれば、結晶２４表面近傍における濃度変化を知ることができる。
【００８９】
二光束干渉法では、２点間の濃度差は、干渉縞パターンから得られる２点間の光路の位相差として算出される。この算出を自動化するために、上記したフーリエ変換法が適用可能である。
【００９０】
図８は、データ処理装置２２において解析される干渉縞９０の一例である。解析にあたり、予め２つの評価点（バルク領域のＡ点及び結晶２４表面近傍のＢ点）を設定する。一次元のフーリエ変換法により、Ａ点及びＢ点を含む直線Ｃ上における位相分布（図９参照）を求めることができる。
【００９１】
ここで、前述した結晶２４から離間した箇所（図８のＡ点）での濃度をリファレンス点とし、Ａ点の濃度に対する結晶２４表面（図８のＢ点）の濃度差（位相差Δφ）を算出することにより濃度変化を知ることができる。
【００９２】
図９は、フーリエ変換法によって、前記リファレンス点（Ａ点）と評価点（Ｂ点）との２点を含む直線Ｃ上における干渉縞９０の画像データを用いて、直線Ｃ上の該干渉縞９０の位相分布を求めたものである。濃度計測装置２０及びデータ処理装置２２では、予め、前記リファレンス点と前記評価点とを決めており、所定のサンプリングレートで結晶２４近傍の位相変化、すなわち濃度変化を計測することにより、前記評価点での濃度の変化率に相当する情報（干渉縞９０の位相の変化率）を得ることができる。そして、濃度時間変化率＞０の場合には溶解であると判定し、濃度時間変化率≒０の場合には平衡であると判定し、濃度時間変化率＜０の場合には成長であると判定する。
【００９３】
この方法では、データ処理装置２２における計算負荷が小さく、１［Ｈｚ］程度のサンプリングレートでは、リアルタイムでの処理を行う上で全く問題が無い。また、ノイズが少なければ、干渉縞９０の波長の１／３０程度の分解能が得られる。
【００９４】
また、図１のデータ処理装置２２では、上記した濃度変化（位相変化）を最小化するべく、恒温ステージ３８の温度設定値を変化させることにより、自動的に且つ短時間で平衡温度を検索することが可能となる。
【００９５】
図１０に、濃度計測装置２０、データ処理装置２２、電源・制御装置８８及び恒温ステージ３８を用いた観測用セル１２の温度制御を示す制御ブロック図である。
【００９６】
データ処理装置２２（図１参照）では、結晶２４近傍における溶液２６の濃度変化に着目し、該結晶２４近傍における濃度の増減がない状態を平衡状態として、観測用セル１２内部の温度が前記平衡状態となる温度（平衡温度）となるように、電源・制御装置８８を介して恒温ステージ３８を駆動制御する。
【００９７】
図１０において、検出部９２は、濃度計測装置２０とデータ処理装置２２とに対応し、結晶２４近傍の溶液２６の濃度（溶質濃度）を定期的に計測する。この場合、計測頻度は、濃度変化による時定数を参考にして決定するが、観測用セル１２のサイズが小さくても１［Ｈｚ］程度のサンプリング時間で十分である。そして、データ処理装置２２では、現在測定したＡ−Ｂ間の濃度差と前回測定したＡ−Ｂ間の濃度差より濃度変化率を求める。
【００９８】
調節部９４は、電源・制御装置８８に対応し、制御対象９６は、観測用セル１２の温度に対応している。
【００９９】
データ処理装置２２では、求めた前記濃度変化率を濃度変化率の目標値と比較し、その大きさ及び符号から新たな操作量を決定する。この場合、前記濃度変化率の目標値は０であり、該濃度変化率の偏差がある閾値以内であれば、結晶２４及び溶液２６が平衡状態にあるものと判定し、予め設定した回数の計測で前記平衡状態が所定時間以上保持できていれば、その温度を平衡温度であるものと判定する。
【０１００】
また、データ処理装置２２は、前記濃度変化率の偏差がある閾値以上である場合には、恒温ステージ３８の温度目標値を変更する。そのときの操作量の決定方法には比例制御、あるいはＰＩ制御、ＰＩＤ制御等が利用可能である。
【０１０１】
ここで、複雑な制御を行わなくても、温度制御系の時定数が比較的長いことを考慮して、単純な比例制御により前記濃度変化率について２〜３回程度オーバーシュートを発生させ、その際に上下動する濃度変化率のゼロ点を探索し、温度上昇時と温度低下時の濃度変化率のゼロ点の温度が、所定値（例えば１［℃］）以内であれば、それを平衡状態と判断してもよい。
【０１０２】
また、制御パラメータとして結晶２４表面の濃度変化率を用いる方法以外に、結晶２４表面とバルク領域との濃度差を用いることも可能である。このとき、Ａ点とＢ点の位相差（濃度差に比例する量）あるいは前記位相差の時間変化量に着目することにより、平衡点にあるか否かの自動判定及び平衡温度への自動制御が可能となる。
【０１０３】
本実施形態に係る溶解度測定システム１０は、以上のように構成されるものであり、次に、該溶解度測定システム１０の作用効果について、図１〜図１０及び図１１〜図１３のフローチャートを参照しながら説明する。
【０１０４】
ここでは、図４に示すマイクロ流体チップ１４を使用した場合における観測用セル１２に対する溶液２６及び希釈溶液の調整、充填及び排出動作について説明する。また、溶液２６は、タンパク質溶液とする。
【０１０５】
溶解度測定システム１０における溶解度の測定では、（１）ポンプ５２、６４、６６、７０、７４、７８、８０の準備、（２）観測用セル１２への溶液２６の第１回目の充填（初回）、（３）第２回目以降の溶解度測定における溶液２６の調整、充填及び排出（２回目以降）及び（４）溶解度測定後の結晶２４及び溶液２６の回収の４つの作業工程から構成される。
【０１０６】
先ず、（１）の作業工程では、ポンプ５２、６４、６６、７０、７４、７８、８０に対して図示しない流路内を駆動する駆動用溶液を充填する（ステップＳ１）。次いで、マイクロ流体チップ１４及び観測用セル１２に供給する溶液２６を初期溶液充填用ポンプ８０に充填し、一方で、希釈溶液を溶液充填用ポンプ７４に充填する（ステップＳ２）。次いで、各ポンプ５２、６４、６６、７０、７４、７８、８０をマイクロ流体チップ１４に接続する（ステップＳ３）。次いで、マイクロポンプ５２、６４、６６、７０、７４、７８、８０を電源・制御装置８６に電気的に接続する（ステップＳ４）。
【０１０７】
（１）の作業工程が完了すると、（２）の作業工程に移行する。
【０１０８】
（２）の作業工程では、先ず、観測用セル１２の収容部２８に結晶２４を配置する。次いで、電源・制御装置８６によって溶液充填用ポンプ８０に充填された溶液２６を流路３３を介して観測用セル１２に供給する。これにより、観測用セル１２内は溶液２６で充填される（ステップＳ５）。収容部２８が溶液２６で充填されたことを確認した後に該収容部２８及び孔３２を蓋体３４で閉塞して、該蓋体３４とマイクロ流体チップ１４とをシールする（ステップＳ６）。この場合、結晶２４及びその過飽和の溶液２６を観測用セル１２にピペッタ等を用いて直接充填することも可能である。その際には、初期溶液充填用ポンプ８０は不要となる。
【０１０９】
次いで、恒温ステージ３８によって観測用セル１２を所定温度に設定し、この所定温度において結晶２４の近傍における該溶液２６の溶質濃度が濃度計測装置２０によって計測される（ステップＳ７）。この場合、濃度計測装置２０で計測された前記溶質濃度がデータ処理装置２２に出力され、該データ処理装置２２では、結晶２４近傍における溶質濃度の濃度変化が所定範囲内であるか否かを判定する。
【０１１０】
ここで、前記濃度変化が前記所定範囲内である場合には、データ処理装置２２は、結晶２４近傍において該結晶２４と溶液２６とが平衡状態に到達したものと判定し、溶液２６の溶質濃度をその温度における溶解度として検出する。一方、前記濃度変化が所定範囲外である場合には、データ処理装置２２は、結晶２４と溶液２６とが平衡状態にないものと判定し、観測用セル１２の新たな目標温度を設定し、設定した前記目標温度に基づいて生成した前記温度制御信号を電源・制御装置８８に出力する。
【０１１１】
電源・制御装置８８では、入力された前記温度制御信号に基づいて恒温ステージ３８を駆動制御して、観測用セル１２の現在の温度を平衡温度となるように調整する。
【０１１２】
（３）の作業工程では、先ず、ポンプ５２により上記した第１回目の溶解度測定で使用された観測用セル１２内の溶液２６を流路３１側に押し出し、一方で、廃液回収用ポンプ７８により吸引し、溶液２６を流路３１側に引き込む。この結果、観測用セル１２の収容部２８に充填されている溶液２６は、流路３１、混合領域５４、流路５６、定量流路５８及び流路７６を介して廃液回収用ポンプ７８に流れ込む（ステップＳ８）。
【０１１３】
次いで、観測用セル１２より排出された溶液２６の観測用セル１２側の液面位置（最後尾の液面位置）が定量流路５８のＭ点に到達した時にポンプ５２、７８の動作を停止する（ステップＳ９）。この場合、ＣＣＤカメラ８２で前記液面位置を撮影し、データ処理装置８４では、該液面位置がＭ点に到達した際にマイクロポンプ５０の動作を停止させる内容の液面位置制御信号を予め電源・制御装置８６に出力している。電源・制御装置８６では、入力された前記液面位置制御信号に基づいて前記液面位置がＭ点に到達した際にマイクロポンプ５２、７８の動作を停止させる。
【０１１４】
次に、スプリット用ポンプ７０によりスプリット用流路６８を経由してＳ点にエアを押し出し、且つポンプ６４を吸引動作させることにより、定量流路５８の溶液２６をＳ点において分断する（ステップＳ１０）。さらに、スプリット用ポンプ７０とポンプ６４の動作を続けることにより、Ｓ点からＭ点の間に存在する溶液２６がＭ点を経由して前置セル６０に収容される（ステップＳ１１）。
【０１１５】
定量された溶液２６が全て前置セル６０に充填された後に、溶液充填用ポンプ７４により希釈溶液を流路７２側に押し出し、一方で、ポンプ６６を吸引操作すると、前記希釈溶液は、流路７２、Ｓ点を経由して定量流路５８に流れ込む。その際に、前記希釈溶液の先頭（観測用セル１２側の液面位置）がＭ点に来たときに、ポンプ６６、７４を停止させ、前記希釈溶液の液面位置をＭ点に停止させる（ステップＳ１２）。この場合も、溶液２６の定量と同様に、マイクロ流体チップ計測制御装置１６によって前記希釈溶液の液面位置が前記Ｍ点に位置決めされる。
【０１１６】
次に、スプリット用ポンプ７０により、スプリット用流路６８を経由してＳ点にエアを押し出し、且つポンプ６６を吸引動作させることにより、定量流路５８内の希釈液体をＳ点において分断する（ステップＳ１３）。さらに、スプリット用ポンプ７０とポンプ６６との動作を続けることにより、Ｓ点からＭ点の間に存在する前記希釈溶液がＭ点を経由して前置セル６２に収容される（ステップＳ１４）。
【０１１７】
次いで、ポンプ６４により前置セル６０に充填された溶液２６を流路５６側に押し出し、且つポンプ６６により前置セル６２に充填された前記希釈溶液を流路５６側に押し出すと共に、ポンプ５２により該溶液２６及び前記希釈溶液を流路５６側に引き込む。これにより、溶液２６及び前記希釈溶液は、流路５６を介して混合領域５４に導入され（ステップＳ１５）、該混合領域５４では、導入された溶液２６及び前記希釈溶液を混合して、第１回目の溶解度測定で使用された溶液２６よりも濃度の低い新たな溶液２６を生成する。
【０１１８】
次いで、ポンプ５２、６４、６６は、混合領域５４で生成された濃度の低い新たな溶液２６を流路３１を介して観測用セル１２に導入する（ステップＳ１６）。
【０１１９】
観測用セル１２では、導入された新たな溶液２６に対する結晶２４近傍における溶解濃度が計測される（ステップＳ１７）。なお、ステップＳ７での計測は、ステップＳ７と同様であるので、その詳細な説明は省略する。
【０１２０】
次いで、濃度計測装置２０やデータ処理装置８４では、ステップＳ１７で行われた溶解度測定が最終回の測定であったか否かを判定する（ステップＳ１８）。この場合、例えば、濃度計測装置２０やデータ処理装置８４において、溶解度を計測した毎にカウントし、所定回数に到達したか否かで判定してもよい。ステップＳ１８において、ステップＳ１７の溶解度測定が最終回でなかった場合には、ステップＳ８〜Ｓ１７の工程を再度行う。一方、ステップＳ１８において、ステップＳ１７の溶解度測定が最終回であった場合には、（４）の作業工程に移行する。
【０１２１】
（４）の作業工程では、先ず、ステップＳ８の工程と同様の動作によって、観測用セル１２内の溶液２６を流路３１、混合領域５４、流路５６、定量流路５８及び流路７６を介して廃液回収用ポンプ７８に回収する（ステップＳ１９）。次いで、蓋体３４を観測用セル１２から取り外し、収容部２８より結晶２４を回収する（ステップＳ２０）。
【０１２２】
このように、本実施形態に係る溶解度測定システム１０によれば、マイクロ流体チップ計測制御装置１６によって、マイクロ流体チップ１４から観測用セル１２に対する溶液２６の供給及び排出制御を自動的に行い、温度制御装置１８によって、観測用セル１２内の温度制御を自動的に行い、濃度計測装置２０によって、溶質濃度計測を自動的に行う。すなわち、溶解度測定システム１０では、人手を介することなく観測用セル１２に対する溶液２６の駆動制御と、観測用セル１２の温度制御と、前記溶質濃度及び前記溶解度の計測を自動的に行う。これにより、前記溶質濃度及び前記溶解度の計測時間を短縮することが可能となる。また、マイクロ流体チップ１４及びマイクロ流体チップ計測制御装置１６を用いることにより、微少量の溶液２６の操作を簡便あるいは自動で行うことができるため、観測用セル１２の小型化が可能となる。該観測用セル１２の小型化は、一つには、使用するサンプル量の低減と、計測時間の短縮につながる。
【０１２３】
ここで、観測用セル１２における結晶２４及び溶液２６の容量を１０［μｌ］以下とすれば、前記計測時間を一層短縮することができる。
【０１２４】
また、マイクロ流体チップ１４は、リザーバ付ポンプ７４、７４ｉ、８０、定量流路５８及び混合領域５４を有し、該定量流路５８は、リザーバ付ポンプ７４、７４ｉ、８０に充填された溶液２６や希釈溶液を所定量だけ各々計量し、混合領域５４は、定量流路５８で計量された溶液２６及び前記希釈溶液を混合して、混合された溶液２６及び前記希釈溶液を観測用セル１２に供給する。この場合、所望濃度の溶液２６を自動的に調整して観測用セル１２に供給することができるので、前記計測時間のさらなる短縮化を実現することができる。
【０１２５】
さらに、マイクロ流体チップ１４では、複数の前置セル６０、６０ｉ、６２を有し、混合領域５４は、前置セル６０、６０ｉ、６２に収容された溶液２６及び前記希釈溶液を混合して、混合された溶液２６及び前記希釈溶液を観測用セル１２に供給するので、所望濃度の溶液２６を正確に調整して観測用セル１２に供給することができる。
【０１２６】
さらにまた、マイクロ流体チップ１４では、溶解度測定のために観測用セル１２内で使用された溶液２６をスプリット用流路６８に導いた後に、混合領域５４にて、スプリット用流路６８の使用済みの溶液２６と計量された希釈溶液とを混合して観測用セル１２に供給する。これにより、一度使用した溶液２６を繰り返し利用することができるので、溶解度測定に必要な溶液２６の総量を削減することが可能となり、システムの運用コストを低減することができる。
【０１２７】
さらにまた、第１回目の溶解度測定では最も濃度の高い溶液２６が観測用セル１２に供給され、第２回目以降では、濃度の低い溶液２６が観測用セル１２に順次供給されて溶解度測定が順次行われる。すなわち、濃度の高い溶液から順に前記溶解度測定が行われるので、貴重なサンプル用の溶液２６としては初期導入分のみの使用で済み、サンプル用の溶液２６の使用量を最小化することができる。
【０１２８】
さらにまた、マイクロ流体チップ１４を観測用セル１２に内蔵すれば、システム全体の小型化を図ることができる。
【０１２９】
さらにまた、ＣＣＤカメラ８２は、溶液２６及び希釈溶液の液面位置を撮影し、データ処理装置８４は、ＣＣＤカメラ８２からの画像に基づいて液面位置制御信号を生成し、電源・制御装置８６は、前記液面位置制御信号に基づいてマイクロポンプ５０を駆動し、前記液面位置をＭ点にまで変位させる。すなわち、マイクロ流体チップ計測制御装置１６は、マイクロ流体チップ１４中の溶液２６及び前記希釈溶液に対して前記液面位置のフィードバックを行っている。これにより、溶液２６及び前記希釈溶液の液面位置を正確に制御することができると共に、観測用セル１２に対して所望量の溶液２６を正確に供給及び排出することが可能となる。
【０１３０】
また、データ処理装置２２は、温度制御信号を生成し、電源・制御装置８８は、前記温度制御信号に基づいて恒温ステージ３８を駆動し、観測用セル１２内の温度を平衡温度にまで変位させる。すなわち、データ処理装置２２及び温度制御装置１８は、観測用セル１２内の溶液２６及び結晶２４に対する温度のフィードバックを行っている。これにより、溶液２６及び結晶２４の温度を速やかに前記平衡温度にまで調整することが可能となり、溶解度の計測時間をより一層短縮化することができる。
【０１３１】
さらにまた、ミラー３６は、結晶２４のサイズに対応して観測用セル１２の厚み方向（光の進行方向）に沿って変位することが可能であるので、異なったサイズの結晶２４を測定する場合にも、それぞれのサイズ（セル高さ）に合わせた観測用セル１２を用意する必要が無く、測定をより正確に且つ効率的に行うことができる。
【０１３２】
なお、本発明に係る溶解度測定システムは、上述の実施の形態に限らず、本発明の要旨を逸脱することなく、種々の構成を採り得ることは勿論である。
【図面の簡単な説明】
【０１３３】
【図１】本実施形態に係る溶解度測定システムの概略ブロック図である。
【図２】図１の観測用セルの要部断面図である。
【図３】図１の観測用セルの他の構成を示す要部断面図である。
【図４】図１の観測用セルを内蔵するマイクロ流体チップの概略平面図である。
【図５】図４のマイクロ流体チップを簡素化したマイクロ流体チップの平面図である。
【図６】図４のマイクロ流体チップを一部変更したマイクロ流体チップの平面図である。
【図７】図４のマイクロ流体チップの具体例を示す平面図である。
【図８】図１のデータ処理装置において解析される干渉縞の一例を示す平面図である。
【図９】図１のデータ処理装置において算出された干渉縞の位相分布である。
【図１０】観測用セルに対する温度制御を示す制御ブロック図である。
【図１１】観測用セルに対する溶液の調整、供給及び排出動作を説明するためのフローチャートである。
【図１２】観測用セルに対する溶液の調整、供給及び排出動作を説明するためのフローチャートである。
【図１３】観測用セルに対する溶液の調整、供給及び排出動作を説明するためのフローチャートである。
【図１４】従来技術に係る溶解度測定システムの要部断面図である。
【図１５】結晶近傍における干渉縞が変化するまでの状況を説明するフローチャートである。
【図１６】図１６Ａは、平衡状態における干渉縞の状態を示す平面図であり、図１６Ｂは、結晶成長により結晶近傍の溶質濃度が変化したときの干渉縞の状態を示す平面図であり、図１６Ｃは、結晶溶解により結晶近傍の溶質濃度が大きく変化したときの干渉縞の状態を示す平面図である。
【符号の説明】
【０１３４】
１０…溶解度測定システム          １２…観測用セル
１４…マイクロ流体チップ          １６…マイクロ流体チップ計測制御装置
１８…温度制御装置                ２０…濃度計測装置
２２、８４…データ処理装置        ２４…結晶
２６…溶液                        ２８…収容部
３０、３１、３３、５６、７２…流路
３４…蓋体                        ３６…ミラー
３８…恒温ステージ                ４０…ステージ
５０、５２、６４、６４ｉ、６６…ポンプ
５４…混合領域                    ５８…定量流路
６０、６０ｉ、６２…前置セル      ６８…スプリット用流路
７０…スプリット用ポンプ          ７４、７４ｉ…溶液充填用ポンプ
７６…排出用流路                  ７８…廃液回収用ポンプ
８０…初期溶液充填用ポンプ        ８２…ＣＣＤカメラ
８６、８８…電源・制御装置        ９０…干渉縞
９２…検出部                      ９４…調節部
９６…制御対象
【図１】
2006275975.tif 000003
【図２】
2006275975.tif 000004
【図３】
2006275975.tif 000005
【図４】
2006275975.tif 000006
【図５】
2006275975.tif 000007
【図６】
2006275975.tif 000008
【図７】
2006275975.tif 000009
【図８】
2006275975.tif 000010
【図９】
2006275975.tif 000011
【図１０】
2006275975.tif 000012
【図１１】
2006275975.tif 000013
【図１２】
2006275975.tif 000014
【図１３】
2006275975.tif 000015
【図１４】
2006275975.tif 000016
【図１５】
2006275975.tif 000017
【図１６】
2006275975.tif 000018